(57)【要約】      （修正有）【課題】多機能ホールへの設置に向く音響反射板装置を提供する。【解決手段】反射板用索Ｗ１によって先端部で吊られて昇降自在とされる天井反射板１と、この天井反射板１から水平方向に離れた位置で下端部を昇降自在にする吊り用索Ｗｂとを備える音響反射板装置において、基端部が反射板用索Ｗ１あるいは天井反射板１の近くの部位に位置決めされて先端部が吊り用索Ｗｂの下端部に連結される固定用索５を有し、この固定用索５が吊り用索Ｗｂの巻き下げで降ろされた吊り用索Ｗｂの下端部を吊り下げると共に振り子運動で吊り用索Ｗｂの下端部のこの固定用索５の基端部の下方に向けての移動を可能にし、反射板用索Ｗ１の巻き下げで降ろされている天井反射板１の後端部への吊り用索Ｗｂの下端部の着脱自在な連結を可能にする。【選択図】図４
2014004184.tif 000002
【特許請求の範囲】
【請求項１】
反射板用索によって先端部で吊られて昇降自在とされる天井反射板と、この天井反射板から水平方向に離れた位置で下端部を昇降自在にする吊り用索とを備える音響反射板装置において、
基端部が上記反射板用索あるいは上記天井反射板の近くの部位に位置決めされて先端部が上記吊り用索の下端部に連結される固定用索を有し、
この固定用索が上記吊り用索の巻き下げで降ろされた上記吊り用索の下端部を吊り下げると共に振り子運動で上記吊り用索の下端部のこの固定用索の基端部の下方に向けての移動を可能にし、上記反射板用索の巻き下げで降ろされている上記天井反射板の後端部への上記吊り用索の下端部の着脱自在な連結を可能にすることを特徴とする音響反射板装置。
【請求項２】
上記天井反射板が後端部に起伏自在に枢着する連結腕を有すると共にこの連結腕に上記吊り用索の下端部が着脱自在に連結される請求項１に記載の音響反射板装置。
【請求項３】
上記吊り用索が下端部にバトンを有すると共に、このバトンに上記固定用索の先端部が連結され、上記バトンが上記天井反射板の後端部に着脱自在に連結される連結部材を有する請求項１または請求項２に記載の音響反射板装置。
【請求項４】
上記天井反射板が舞台における客席側位置の上方に昇降自在に設けられ、
上記吊り用索が上記舞台における中央部より上記舞台における奥寄り位置の上方に巻き下げおよび巻き上げ可能に設けられ、
上記固定用索の基端部が上記舞台における客席側位置の上方の部位に位置決めされる請求項１、請求項２または請求項３に記載の音響反射板装置。
【請求項５】
上記固定用索が先端部を垂下するとき、この先端部の高さ位置が上記反射板用索の巻き下げで降ろされている上記天井反射板の後端部あるいは後端部近傍の高さ位置と同一になる定尺に形成される請求項１、請求項２、請求項３または請求項４に記載の音響反射板装置。
【発明の詳細な説明】
【技術分野】
【０００１】
この発明は、音響反射板装置に関し、特に、多機能ホールなどの舞台に設けられる音響反射板装置の改良に関する。
【背景技術】
【０００２】
旧来、演劇と演奏は、それぞれ専用のホールなどで行われていたが、近年では、多機能ホール（多目的ホールあるいは多用途ホールと称されることもある）で演劇も演奏も行われることが多い。
【０００３】
そして、多機能ホールでの演奏に際しては、音響効果を良くするために、演劇のための舞台に音響反射板装置を設けるが、この音響反射板装置としては、たとえば、特許文献１および特許文献２に開示の提案がある。
【０００４】
特許文献１の音響反射板装置にあっては、音響反射板である正面反射板を吊る梁部材で同じく音響反射板である天井反射板をも吊り、梁部材を吊り上げて正面反射板を舞台の奥の上方に吊り上げた状態に格納するときに、天井反射板も一緒に吊り上げて格納するとしている。
【０００５】
ちなみに、音響反射板を使用する場合には、正面反射板を降ろして舞台床に立設させると共に、この立設された正面反射板に対して天井反射板の客席に対向する先端部を持ち上げるようにして使用状態にする。
【０００６】
特許文献２の音響反射板装置にあっては、天井反射板および正面反射板が分離された状態でそれぞれ吊られ、正面反射板が舞台の奥の上方に吊り上げた状態に格納された後に、天井反射板も舞台の奥の上方に吊り上げた状態に格納されるとしている。ちなみに、音響反射板を使用する場合には、先に天井反射板を降ろして使用状態にし、その後に正面反射板を降ろして使用状態にする。
【０００７】
したがって、上記したいずれの提案にあっても、舞台の上に作業員を待機させることなく、また、作業員の手助けを要することなく、言わば自動的に音響反射板、つまり、正面反射板および天井反射板を舞台に設け、また、舞台の奥の上方に格納することが可能になる。
【先行技術文献】
【特許文献】
【０００８】
【特許文献１】特開２００５−２１５８９号公報
【特許文献２】特開２０１２−８０９０６号公報
【発明の概要】
【発明が解決しようとする課題】
【０００９】
ところで、近年、人口が多い都市部を抱える自治体だけでなく、比較すると人口が少ない、たとえば、地方の自治体などでも、多機能ホールを新設して、多用途に供する傾向にある。
【００１０】
一方、新設される多機能ホールが建築物の規模などから、上記した言わば全自動の音響反射板装置の設置ができず、したがって、たとえば、天井反射板については、その昇降だけは機械力によるが、その他は、舞台に居る作業員の手助けによるとする場合がある。
【００１１】
すなわち、舞台の客席側位置の上方に専用の反射板用索で先端部から吊り上げて格納状態にある天井反射板を舞台まで降ろし、この天井反射板の後端部に、舞台の中央部より奥寄り位置の上方から降ろされる別の索、つまり、吊り用索の下端部を連結部材たるチェーンの利用で連結し、その後、吊り用索を巻き上げて天井反射板の後端部を持ち上げ、天井反射板をほぼ水平状態となる使用状態に維持する。そして、天井反射板の格納時には、上記と逆の手順を辿って格納場所に吊り上げる。
【００１２】
つまり、天井反射板の使用および格納の際には、天井反射板の後端部と吊り用索の下端部との間でチェーンを着脱するが、天井反射板が降ろされる場所と吊り用索の下端部が降ろされる場所とが離れているためにチェーンが長く形成されて重量も大きくなり、また、天井反射板の重量も数トンにも及ぶため、チェーンを着脱する作業員の肉体的負担が大きくなり、また、舞台床がチェーンの引き摺りで傷付き易くなる不具合がある。
【００１３】
この発明は、上記した現状を鑑みて創案されたものであって、多機能ホールへの設置に向く音響反射板装置を提供することを目的とする。
【課題を解決するための手段】
【００１４】
上記した目的を達成するために、この発明の構成を、反射板用索によって先端部で吊られて昇降自在とされる天井反射板と、この天井反射板から水平方向に離れた位置で下端部を昇降自在にする吊り用索とを備える音響反射板装置において、基端部が上記反射板用索あるいは上記天井反射板の近くの部位に位置決めされて先端部が上記吊り用索の下端部に連結される固定用索を有し、この固定用索が上記吊り用索の巻き下げで降ろされた上記吊り用索の下端部を吊り下げると共に振り子運動で上記吊り用索の下端部のこの固定用索の基端部の下方に向けての移動を可能にし、上記反射板用索の巻き下げで降ろされている上記天井反射板の後端部への上記吊り用索の下端部の着脱自在な連結を可能にするとする。
【発明の効果】
【００１５】
それゆえ、音響反射板装置にあって、吊り用索の巻き下げで降ろされる吊り用索の下端部が、この下端部に先端部を連結する固定用索に吊られて、この固定用索の基端部の下方に向けて移動し、反射板用索の巻き下げで降ろされている天井反射板の後端部に近づくから、作業員の手助けで吊り用索の下端部を天井反射板の後端部に連結する作業を容易にすると共に、その後の天井反射板の格納時に、作業員の手助けで吊り用索の下端部を天井反射板の後端部から取り外す作業を容易にする。
【００１６】
天井反射板の後端部に連結された吊り用索の下端部を所定の高さ位置にまで巻き上げると、天井反射板がほぼ水平状態となる所定の使用状態になり、その際、固定用索は、天井反射板の上方で撓んで吊り用索の巻き上げを妨げない。
【００１７】
天井反射板を格納するときには、天井反射板の後端部から吊り用索の下端部を取り外し、天井反射板を吊り上げると共に、吊り用索を巻き上げることで足り、吊り用索が所定の高さ位置、つまり、格納場所に巻き上げられると、固定用索が舞台の上方にループ状に吊られる。
【００１８】
その結果、この発明の音響反射板装置にあっては、天井反射板を使用し、また、格納するについて、吊り用索の下端部を天井反射板の後端部に連結する作業およびその後の取り外し作業を容易にして、手助けする作業員の負担を軽減させると共に、天井反射板をいわゆる全自動で使用状態にし、また、格納する場合に比較して、設置コストや維持費の低廉化を可能にし、言わば小規模な多機能ホールへの設置に向くことになる。
【図面の簡単な説明】
【００１９】
【図１】この発明による音響反射板装置における天井反射板および正面反射板の格納状態を示す概略縦断面図である。
【図２】図１の状態から天井反射板および正面反射板が降ろされた状態を示す概略縦断面図である。
【図３】図２の状態から吊り用索が降ろされた状態を示す概略縦断面図である。
【図４】図３の状態から吊り用索が天井反射板の後端部に連結された状態を示す概略縦断面図である。
【図５】天井反射板の使用状態を示す概略縦断面図である。
【図６】天井反射板および正面反射板の平面視での配置状態を示す半截概略平面図である。
【発明を実施するための形態】
【００２０】
以下に、図示した実施形態に基づいて、この発明を説明するが、この発明による音響反射板装置は、詳しくは図示しないが、多機能ホールなどの舞台に設けられ、図示するところでは、可動型で吊り下げ式に設定されている。
【００２１】
ちなみに、以下の説明において、舞台なる語は、舞台床Ｓ（図１乃至図６参照）を指す場合と、この舞台床Ｓの上方の空間（符示せず）を指す場合と、舞台床Ｓとこの舞台床Ｓの上方の空間とを合体して指す場合とがあるが、必要な場合を除き、明確に区別することなく使用する。
【００２２】
また、図１乃至図６中の右側に符号Ｇで示すのは、客席であって、この客席Ｇから見る舞台の左右方向が間口方向であり、この舞台の間口方向の端部に袖と称されて、基本的には、客席Ｇからの視界の外となる空間Ａ（図６参照）が設けられる。
【００２３】
ちなみに、袖と称される舞台の両端部を除く舞台の上方には、後述する格納時の天井反射板１や正面反射板２の他に、図示しないが、いわゆるバトン装置が多数設けられている。つまり、舞台の袖の上方には、基本的には、バトン装置が設けられない。
【００２４】
そして、この種の舞台にあっては、舞台の最上端となる図示しない天井の下方に、図１乃至図５に示すように、支持棚たる簀の子Ｔを有し、この簀の子Ｔが備える隙間を通じて、簀の子Ｔにあるいは簀の子Ｔの上方の部位に設けたバトン装置（図示せず）における索たるワイヤ（図示せず）が吊り下げられ、また、吊り上げられる。
【００２５】
ところで、可動型で吊り下げ式に設定される音響反射板装置にあっては、基本的には、図１乃至図５に示すように、天井反射板１と、正面反射板２と、図６に示す側面反射板３とを有する。
【００２６】
そして、音響反射板装置にあって、天井反射板１は、図１に示すように、格納時には、舞台の客席Ｇ側位置の上方、つまり、舞台の上方と客席Ｇの上方とを分ける舞台の前壁Ｗの客席Ｇから見た裏側に反射板用索たるワイヤＷ１で吊り上げられ、使用時には、ワイヤＷ１の巻き下げで、図２に示すように、舞台床Ｓに向けて降ろされる。
【００２７】
また、正面反射板２は、格納時には、図１に示すように、舞台の奥の上方に専用の索たるワイヤＷ２で吊り上げられ、使用時には、ワイヤＷ２の巻き下げで、図２に示すように、舞台床Ｓに向けて降ろされる。
【００２８】
そして、側面反射板３は、図示しないが、格納時には、舞台の袖の上方に専用の索たるワイヤで吊り上げられ、使用時には、ワイヤの巻き下げで、舞台床Ｓに向けて降ろされて所定の場所に設置される。
【００２９】
戻って、天井反射板１および正面反射板２は、所定の音響効果を発揮できる限りには、任意に形成されて良く、たとえば、吊り上げ動作の際に変形などしない強度を備えるフレーム構造に形成され、このフレーム構造に音響反射面をプラスターなどの硬く質量に富む部材で仕上げて形成される。
【００３０】
天井反射板１を吊るワイヤＷ１は、図１中で上端側となる基端側が簀の子Ｔやその上方の部位に配設のウインチ（図示せず）に巻かれており、ウインチの駆動で巻き上げられ、あるいは、巻き下げられて、天井反射板１を吊り上げ、あるいは、降ろすとしている。
【００３１】
そして、上記のワイヤＷ１については、簀の子Ｔに設けられた滑車（符示せず）で舞台の客席Ｇ側位置から舞台の奥寄り位置に方向転換されるとし、また、前記した前壁Ｗの裏面に設けられた押し出し手段１０で前壁Ｗの裏面寄り位置から舞台の奥寄り位置に向けて押し出され（図２参照）、天井反射板１が舞台床Ｓに向けて降ろされるときに、また、降ろされている状態から上方に吊り上げられるときに、前壁Ｗの下方側部の裏面に設けた昇降プロセニアム２０に干渉させないとしている。ちなみに、詳しくは図示しないが、昇降プロセニアム２０も簀の子Ｔなどに配設のウインチに巻かれたワイヤで吊られている。
【００３２】
ところで、ワイヤＷ１の下端部は、連結具１ａを介して天井反射板１の先端部（符示せず）に連結されるとし、この連結具１ａについては、この天井反射板１にあっては、図６に示すように、天井反射板１の軸線方向に適宜の間隔で複数配置とされる。
【００３３】
一方、この発明の音響反射板装置にあって、天井反射板１を図５に示す使用状態にするのに際しては、吊り用索たるワイヤＷｂと固定用索たるワイヤ５の利用、および、舞台に居る作業員の手助けを必須とする。
【００３４】
そして、図示する実施形態では、ワイヤＷｂの下端部に連結されるバトンＢ、および、このバトンＢが有する連結部材の利用で、ワイヤＷｂの天井反射板１に対する着脱作業を実現するとしている。
【００３５】
ちなみに、図５に示すように、使用時に舞台に降ろされた天井反射板１は、ほぼ水平状態におかれるが、正確には、客席Ｇに対向する先端部が後端部に比較して高く位置決められ、図中で下面となる音響反射面を客席Ｇに向けて言わば仰向け傾向にする。
【００３６】
戻って、図示する実施形態にあっては、ワイヤＷｂの下端部にバトンＢが連結されるとしている。つまり、図示する実施形態では、図１，図２および図６に示すように、バトンＢが舞台の奥側寄り位置の上方にあって間口方向に設けられるとしている。
【００３７】
このバトンＢは、たとえば、鋼管で形成され、図６に示すように、舞台の間口方向にほぼ一杯になる長さを有し、両端部（符示せず）にこの後吊りバトンＢを吊るワイヤＷｂの下端部（符示せず）を連結させている。
【００３８】
つまり、バトンＢの両端部は、舞台の袖にまで及んで、天井反射板１および正面反射板２とで挟まれる領域を舞台の間口方向に外れる部位にまで及び、図示するところでは、側面反射板３が格納される領域を間口方向に超える部位にまで及ぶとしている。
【００３９】
そして、ワイヤＷｂの下端部がバトンＢの両端部に連結されるから、バトンＢを舞台の奥側と舞台の客席側との間で移動させるときに、併せて移動するワイヤＷｂが他の装置類に干渉することを防止できる。
【００４０】
一方、バトンＢを吊るワイヤＷｂの上端側は、簀の子Ｔに、あるいは、簀の子Ｔの上方の部位に設けられたウインチ（図示せず）に巻かれており、このウインチの駆動でワイヤＷｂが送り出され、あるいは、巻き上げられ、バトンＢを吊り上げ、あるいは、降ろすとしている。
【００４１】
なお、ワイヤＷｂは、バトンＢを下降させるときに巻き下げられるが、バトンＢが後述する固定用索たるワイヤ５に連結されて巻き下げられるほどに客席Ｇ側に引かれるようになるので、簀の子Ｔに設けた滑車Ｐに当接して、方向転換を可能にしている。
【００４２】
戻って、バトンＢは、両端部の間に適宜の間隔で複数の連結部材たるチェーンＪ（図３および図４参照）を有している。このチェーンＪは、天井反射板１の後端部に設けた連結腕１ｂに対する着脱を自在にするもので、この観点からすれば、チェーンＪに代えてワイヤとされるなど、任意に構成されて良い。
【００４３】
ちなみに、チェーンＪについては、あらかじめバトンＢに連結されているのに代えて、バトンＢを天井反射板１の後端部に連結する際に両者に連結されるとしても良い。また、連結腕１ｂは、天井反射板１の後端部に枢着されて、この天井反射板１の背面側で起伏可能とされる（図３および図４参照）。
【００４４】
そして、この発明にあっては、後述するように、バトンＢが天井反射板１の後端部に限りなく近づくことになるので、チェーンＪの長さは、たとえば、５０センチメートル程度に抑えられ、従前であれば、２〜３メートルになるとして重量も１５キログラムを超えるとしていたことに比較して、軽量にして、作業員の手助けを阻害しないことになる。
【００４５】
固定用索たるワイヤ５は、図１乃至図５に示すように、舞台における客席Ｇ側位置の上方にある基端部（符示せず）が簀の子Ｔに設けたブラケットＴ１に連結され、図１および図２に示すように、先端部（符示せず）が舞台の奥寄り位置の上方にあるワイヤＷｂ、つまり、ワイヤＷｂが巻き上げられて言わば格納状態にあるバトンＢの両端部に連結されている。ちなみに、ワイヤ５の基端部は、簀の子Ｔに設けたブラケットＴ１に連結されるのに代えて、図示しないが、天井などの固定部に連結されるとしても良い。
【００４６】
戻って、ワイヤ５は、定尺に形成されて、図２に示すように、ワイヤＷ１の巻き下げで天井反射板１の後端部が舞台床Ｓに接触しないまでも、極めて近くなるほどに降ろされるとき、図４に示すように、言わば真直ぐに伸ばされたワイヤ５の先端部が、つまり、ワイヤ５の先端部に連結されたバトンＢが天井反射板１の後端部に近づく状態になることを可能にする長さを有するように設定されている（図４参照）。
【００４７】
つまり、図３に示すように、ワイヤＷｂによってバトンＢが降ろされて舞台床Ｓに近づくようになるとき、この時点では、ワイヤ５が緊張していないから、バトンＢがワイヤＷｂで吊られている状態で言わば真下に降りるようになる。
【００４８】
ついで、バトンＢが降りきるまでにはならないその前状態にあるときには、バトンＢにワイヤ５の先端部が連結されているから、ワイヤ５も伸びきるまでにはならないその前状態になり、さらに、ワイヤＷｂが巻き下げられると、図示しないが、バトンＢは、緊張してＶ字状になるワイヤＷｂおよびワイヤ５で吊られる状態になり、このとき、図３中に二点鎖線矢印ａで示すように、バトンＢが弧を描きながら天井反射板１の後端部に近づくように移動することになる。
【００４９】
このＶ字状になったワイヤＷｂおよびワイヤ５でバトンＢを吊る状態から、図４中に実線図で示すように、ワイヤＷｂが緩められると、ワイヤ５が優先的にバトンＢを吊るようになり、最終的には、バトンＢがワイヤ５に吊られて振り子運動でワイヤ５の基端部の下方に、つまり、図４中に二点鎖線矢印ｂで示すように、天井反射板１の後端部に近づくように移動することになる。
【００５０】
したがって、図４に示すように、この状態でバトンＢが有する複数のチェーンＪを天井反射板１の後端部に、つまり、連結腕１ｂに連結すれば良く、この連結作業をする作業員にチェーンＪを舞台床Ｓで引き摺らせるようにすることもなく、作業員に肉体的な負担をかけないようにすることが可能になる。
【００５１】
なお、図３は、バトンＢを有するワイヤＷｂが巻き下げられるときにこれに追従するようにワイヤ５が伸びる状態を示し、図４は、ワイヤ５が伸び切ってワイヤＷｂが緩められている状態を示すが、それぞれの状態を解り易くするために図を分けているだけであり、実際には、上記したように、図３の状態から図４の状態に連続した挙動になる。
【００５２】
また、図４中に二点鎖線図で示すワイヤＷｂの状態は、バトンＢに連結のチェーンＪを天井反射板１の後端部に連結した状態でワイヤＷｂを僅かに巻き上げてワイヤＷｂを緊張させた状態である。
【００５３】
ちなみに、天井反射板１を使用状態にするのには、図４中に二点鎖線図で示すワイヤＷｂの状態からこのワイヤＷｂを巻き上げることで、図５に示すように、天井反射板１の後端部が所定の高さ位置に上昇する。その際に、天井反射板１の先端部は、後端部の高さ位置に相応するように、ワイヤＷ１の巻き上げあるいは巻き下げで適宜に昇降することがある。
【００５４】
一方、音響反射板装置の不使用時に天井反射板１を格納するのに際しては、上記したところと逆の手順を辿れば良い。すなわち、先ずは、ワイヤＷｂを巻き下げてバトンＢを下降させ、要する場合に、ワイヤＷ１も巻き下げて、図４に示すように、天井反射板１を立て、後端部を舞台床Ｓに近づけるようにする。
【００５５】
つぎに、舞台床Ｓに近づいている天井反射板１の後端部からチェーンＪを取り外して、ワイヤＷ１を巻き上げることで、図１に示すように、天井反射板１が舞台の客席側で上方に吊り上げられ、格納状態におかれる。
【００５６】
チェーンＪが天井反射板１の後端部から取り外されたバトンＢにあっては、ワイヤＷｂを巻き上げることで、図１および図２に示すように、簀の子Ｔの直ぐ下まで吊り上げられ、停止状態におかれる。
【００５７】
以上のように、天井反射板１の昇降に際しては、作業員の手助けによるチェーンＪの着脱が必須になるが、図４に示すように、ワイヤＷｂの下端部が天井反射板１の後端部に近づくこともあって、ワイヤＷｂの下端部、つまり、バトンＢと天井反射板１とを連結するチェーンＪを短くして軽量にすることが可能になるから、作業員の肉体的負担を軽減するのはもちろんのこと、作業員を使う時間や作業員の数の削減を可能にして、経費の削減を可能にする。
【００５８】
なお、ワイヤＷｂの下端部、つまり、バトンＢと天井反射板１の後端部との連結を解除したチェーンＪについては、バトンＢに連結したままでいわゆる格納されるとしても良いが、バトンＢからも外されて、所定の格納場所に格納されるとしても良く、その際にも、チェーンが軽量に形成されることで、作業員の肉体的負担を軽減し得ることになる。
【００５９】
ちなみに、正面反射板２は、言わば自動的に使用状態におかれ、また、格納状態におかれるが、正面反射板２を吊るワイヤＷ２については、簀の子Ｔに設けられた滑車（符示せず）で舞台の奥側から舞台の客席Ｇ側に方向転換され、また、この正面反射板２には、この正面反射板２が最終的に舞台床Ｓに起立する状態に設置されるときの位置を設定する位置決め用の索たるワイヤ６が連結される。
【００６０】
なお、この位置決め用のワイヤ６は、図１に示すように、正面反射板２が吊り下げられる位置より客席Ｇ寄りとなる位置に垂下され、簀の子Ｔの上方に位置決めされる基端側が簀の子Ｔに、あるいは、簀の子Ｔの上方の部位に設けられるウインチ（図示せず）に連結され、ウインチの駆動で巻き上げられ、あるいは、巻き下げられる。
【符号の説明】
【００６１】
１  天井反射板
１ａ  連結具
１ｂ  連結腕
２  正面反射板
２ａ，Ｐ  滑車
３  側面反射板
４  東西幕
５  ワイヤ（固定用索）
６，Ｗ２  ワイヤ
１０  押し出し手段
２０  昇降プロセニアム
Ａ  空間
Ｂ  バトン
Ｇ  客席
Ｊ  チェーン（連結部材）
Ｓ  舞台床
Ｔ  簀の子
Ｔ１  ブラケット
Ｗ  前壁
Ｗ１  ワイヤ（反射板用索）
Ｗｂ  ワイヤ（吊り用索）
【図１】
2014004184.tif 000003
【図２】
2014004184.tif 000004
【図３】
2014004184.tif 000005
【図４】
2014004184.tif 000006
【図５】
2014004184.tif 000007
【図６】
2014004184.tif 000008